(57)【要約】【課題】外耳道へ耳チップを挿入せずとも音刺激を可能とする脳磁計を実現する。【解決手段】小型スピーカの音出力口に一端が接続された音伝送用チューブと、この音伝送用チューブの他端に側面が接続されたリング状のＯ型クッションと、このＯ型クッションの一方の周縁に周縁が接続された板状のカバーと、このカバーを覆い前記Ｏ型クッションの一方の周縁に接続され前記カバーと室を構成する固定用側部バルーンと、前記室に一端が連通し前記室にエアーを供給するエアーチューブとを具備したことを特徴とする脳磁計である。【選択図】図１
2011083433.tif 000002
【特許請求の範囲】
【請求項１】
小型スピーカの音出力口に一端が接続された音伝送用チューブと、
この音伝送用チューブの他端に側面が接続されたリング状のＯ型クッションと、
このＯ型クッションの一方の周縁に周縁が接続された板状のカバーと、
このカバーを覆い前記Ｏ型クッションの一方の周縁に接続され前記カバーと室を構成する固定用側部バルーンと、
前記室に一端が連通し前記室にエアーを供給するエアーチューブと
を具備したことを特徴とする脳磁計。
【請求項２】
前記Ｏ型クッションに設けられ頭部用固定ベルトが取り付けられる頭部フック
を具備したことを特徴とする請求項１記載の脳磁計。
【請求項３】
前記Ｏ型クッションに設けられ顎部用固定ベルトが取り付けられる顎部フック
を具備したことを特徴とする請求項１又は請求項２記載の脳磁計。
【発明の詳細な説明】
【技術分野】
【０００１】
本発明は、脳磁計に関するものである。
更に詳述すれば、本発明は、神経細胞の活動に伴い発生する微弱脳磁場を測定する脳磁計に関わるもので、聴覚誘発反応脳磁場計測において測定者への聴覚刺激をするための器具を有する脳磁計に関するものである。
【背景技術】
【０００２】
図６は、従来より一般に使用されている従来例の構成説明図、図７は図６のＡ−Ａ断面図である。
図において、計測部１は、ベッド部２の一端側に設けられ、頭部挿入部３を有する。
ベッド部２の、計測部１側には、頭部支え部４が設けられている。
頭部支え部４には、顎を固定する顎固定用ベルト６が設けられている。
【０００３】
固定用のエアチューブ１１は、計測部１に設けられ、エア圧により伸縮自在に変形し頭部をこの計測部１にフィット固定する。
固定用のエアチューブ１１は、この場合は、額固定用のエアチューブ１１１と顎固定用のエアチューブ１１２と後頭部固定用のエアチューブ１１３とよりなる。
【０００４】
額固定用のエアチューブ１１１は、図７に示す如く、額部を固定し、計測部１に直接設けられている。
顎固定用のエアチューブ１１２は、図７に示す如く、顎部を固定し、計測部１に、顎固定用ベルト６とベッド部２を介して設けられている。
【０００５】
後頭部固定用のエアチューブ１１３は、図７に示す如く、後頭部を固定し、計測部１に、頭部支え部４とベッド部２を介して設けられている。
エアチューブ１１１，１１２，１１３は、この場合は、ナイロン材が使用されている。
【０００６】
エア供給手段１２は、エアチューブ１１１，１１２，１１３へ空気を供給する。
この場合は、図７に示す如く、エアチューブ１１１，１１２，１１３に一端が接続された手動のエアポンプ１２が使用されている。
計測センサ１０１は、計測部１に設けられている。
【０００７】
以上の構成において、被測定者Ｂをベッド部２に乗せ、被測定者Ｂの頭部を、計測部１の頭部挿入部３に挿入する。
それぞれのエアポンプ１２により、エアチューブ１１１，１１２，１１３へ手動により空気が供給される。
エアチューブ１１１，１１２，１１３により、被測定者Ｂの頭部Ｃが確りとフィット固定され、計測センサ１０１により、微弱脳磁場が測定される。
【０００８】
図８は、従来より一般に使用されている他の従来例の要部構成説明図で、聴覚神経系を計測する、いわゆる、聴覚誘発反応脳磁場計測に使用される脳磁計の従来例、図９は図８の動作説明図である。
図において、小型スピーカ２１の音出力口２１１に一端が接続された音伝送用チューブ２２と、この音伝送用チューブ２２の他端に一端側が接続された接続アダプタ２３と、接続アダプタ２３の他端側に取り付けられた挿入型耳チップ２４とにより構成されている。
【０００９】
図９に示す如く、挿入型耳チップを被測定者の外耳道内に挿入し音を伝送する。
【先行技術文献】
【特許文献】
【００１０】
【特許文献１】特開２０００−１０２５１６号公報
【非特許文献１】高倉公朋・大久保昭行編『ＭＥＧ−脳磁図の基礎と臨床』（株）朝倉書店,１９９４  Ｐ１３０−Ｐ１３１
【発明の概要】
【発明が解決しようとする課題】
【００１１】
このような装置においては、以下の問題点がある。
図６従来例では、脳磁計測時に頭部固定方法として、頭部の額と顎に対しエア圧をかけ頭部を固定を行っているが、額は球面であるため圧力をかけると頭部が計測部より押し出されてしまうことがある。
【００１２】
図８従来例では、挿入型耳チップを被測定者の外耳道内に挿入し音を伝送する。
したがって、外耳等への異物挿入に嫌悪感を感じる被測定者がある。
外耳道奇形による耳チップ挿入困難な被測定者がある。
乳児・小児など外耳道の異物挿入を拒否する被測定者がある。
【００１３】
音伝送用チューブの張力により耳チップが外耳道より抜けてしまう場合がある。
テープ等で補助的な固定を必要とするため、被測定者の顔に固定のための粘着質材が残り不快感を与える。
頭部を固定するための構造は無い。
【００１４】
本発明の目的は、上記の課題を解決するもので、外耳道へ耳チップを挿入せずとも音刺激を可能とする脳磁計を提供することにある。
また、同時に頭部を固定する器具を付随し、頭部を固定して、容易に脳磁計測ができる脳磁計を提供することにある。
【課題を解決するための手段】
【００１５】
このような課題を達成するために、本発明では、請求項１の脳磁計においては、
小型スピーカの音出力口に一端が接続された音伝送用チューブと、この音伝送用チューブの他端に側面が接続されたリング状のＯ型クッションと、このＯ型クッションの一方の周縁に周縁が接続された板状のカバーと、このカバーを覆い前記Ｏ型クッションの一方の周縁に接続され前記カバーと室を構成する固定用側部バルーンと、前記室に一端が連通し前記室にエアーを供給するエアーチューブとを具備したことを特徴とする。
【００１６】
本発明の請求項２の脳磁計においては、請求項１記載の脳磁計において、
前記Ｏ型クッションに設けられ頭部用固定ベルトが取り付けられる頭部フックを具備したことを特徴とする。
【００１７】
本発明の請求項３の脳磁計においては、請求項１又は請求項２記載の脳磁計において、
前記Ｏ型クッションに設けられ顎部用固定ベルトが取り付けられる顎部フックを具備したことを特徴とする。
【発明の効果】
【００１８】
本発明の請求項１によれば、次のような効果がある。
聴覚誘発反応脳磁場計測において、被測定者に嫌悪感や痛みを与えることなく、あらゆる状態に対応可能な脳磁計が得られる。
【００１９】
特に、小児において、装置を容易に装着可能であるため、被測定者の心理状態に合わせ即座に脳磁計計測が可能となる脳磁計が得られる。
頭部側面の平面で、装置に付随する固定用側部バルーンを膨らませ圧迫固定するため頭部位置がずれること無く容易に脳磁計計測が可能となる脳磁計が得られる。
【００２０】
本発明の請求項２によれば、次のような効果がある。
Ｏ型クッションに設けられ頭部用固定ベルトが取り付けられる頭部フックが設けられたので、更に、装置の固定が容易になる脳磁計が得られる。
【００２１】
本発明の請求項３によれば、次のような効果がある。
Ｏ型クッションに設けられ顎部用固定ベルトが取り付けられる顎部フックが設けられたので、更に、装置の固定が容易になる脳磁計が得られる。
【図面の簡単な説明】
【００２２】
【図１】本発明の一実施例の要部構成説明図である。
【図２】図１の要部構成説明図である。
【図３】図２のＡ-Ａ断面図である。
【図４】図１のＢ-Ｂ断面図である。
【図５】図１の動作説明図である。
【図６】従来より一般に使用されている従来例の要部構成説明図である。
【図７】図６の要部構成説明図である。
【図８】従来より一般に使用されている他の従来例の要部構成説明図である。
【図９】図８の動作説明図である。
【発明を実施するための形態】
【００２３】
以下本発明を図面を用いて詳細に説明する。
図１は本発明の一実施例の要部構成説明図、図２は図１の要部構成説明図で、（ａ）は正面図、（ｂ）は（ａ）の側面図、（ｃ）は（ａ）の背面図、図３は図１（ａ）のＡ−Ａ断面図、図４は図１（ａ）のＢ−Ｂ断面図である。
図において、図６と同一記号の構成は同一機能を表す。
以下、図６との相違部分のみ説明する。
【００２４】
図において、音伝送用チューブ２２は、小型スピーカ２１の音出力口に一端が接続されている。
Ｏ型クッション３１は、この音伝送用チューブ２２の他端に側面が接続され、リング状をなす。
この場合は、音伝送用チューブ２２とＯ型クッション３１との接続部には、音伝送用チューブ用アダプタ３１１が設けられている。
【００２５】
カバー３２は、このＯ型クッション３１の一方の周縁に周縁が接続され、板状をなす。
固定用側部バルーン３３は、このカバー３２を覆い、Ｏ型クッションの一方の周縁に接続され、カバー３２と室３４を構成する。
エアーチューブ３５は、室３４に一端が連通し、室３４にエアーを供給する。
【００２６】
この場合は、エアーチューブ３５と固定用側部バルーン３３との接続部には、エアーチューブ用アダプタ３３１が設けられている。
この場合は、音伝送用チューブ用アダプタ３１１とエアーチューブ用アダプタ３３１とは、カバー３２に固定されている。
【００２７】
手動式エアーポンプ３６は、エアーチューブ３５の一端にエアーを供給する。
この場合は、Ｏ型クッション３１には、頭部用補助バンドフック４１と顎部用補助バンドフック４２とが設けられている。
図５に示す如く、頭部用補助バンドフック４１には、頭部用補助バンド４１１が取り付けられる。
顎部用補助バンドフック４２には、顎部用補助バンド４２１が取り付けられる。
なお、図５（ａ）は正面図、図５（ｂ）は側面図である。
【００２８】
以上の構成において、小型スピーカの音出力口に音伝送用チューブ２２を取り付け、その最終出力口に本装置を取り付ける。
本装置と被測定者の接触面には、Ｏ型クッション３１を設け、接触感を和らげる。
音伝送用チューブ２２は、カバー３２の内側(被測定者接触面側)にくるよう取り付けられている。
【００２９】
カバー３２の外側(脳磁計計測部壁面側)には、固定用側部バルーン３３を装備している。
手動式エアーポンプ３６で固定用側部バルーン３３を膨らませることにより、カバー３２が側頭部に密着され、外部に音が漏れにくくなると共に、頭部が脳磁計本体装置内に固定される仕組みとなっている。
【００３０】
この結果、聴覚誘発反応脳磁場計測において、被測定者に嫌悪感や痛みを与えることなく、あらゆる状態に対応可能な脳磁計が得られる。
特に、小児において、装置を容易に装着可能であるため、被測定者の心理状態に合わせ即座に脳磁計計測が可能となる脳磁計が得られる。
頭部側面の平面で、装置に付随する固定用側部バルーン３３を膨らませ圧迫固定するため頭部位置がずれること無く容易に脳磁計計測が可能となる脳磁計が得られる。
【００３１】
Ｏ型クッション３１に設けられ、頭部用固定ベルトが取り付けられる頭部フック４１が設けられたので、更に、装置の固定が容易になる脳磁計が得られる。
【００３２】
Ｏ型クッション３１に設けられ、顎部用固定ベルトが取り付けられる顎部フック４２が設けられたので、更に、装置の固定が容易になる脳磁計が得られる。
【００３３】
なお、
聴覚刺激器具としての使用の場合
通常聴覚刺激は両耳で行う為、左右計２セット使用する。
図５に示す如く、本装置を取り付ける際、附属される頭部用及び顎用の補助バンド４１１，４２１で本器具を定位置にセットすることも出来る。
本装置を補助バンド４１１，４２１等で頭部にセット後、脳磁計本体の計測部１に頭部を挿入。本装置の２個のエアーチューブ３５をＹ字管等で接続し、左右一度にエアーを送り双方の固定用側部バルーン３３を膨らませる。
【００３４】
同時に膨らませることにより、脳磁計計測部１の中心に頭部を配置することが可能となり、安定した計測が可能となる。
額に比べ限りなく平面に近い側頭部耳介周りにおいてエア圧で固定する為、頭部が脳磁計計測部１から押し出されることは無い。
【００３５】
頭部固定具としての使用の場合
単に頭部固定器具としても使用できる。
その時は、本発明装置を２個でなく、１個を使用しても良い。
より明瞭な反応を計測できるために、頭部半球を脳磁計計測部１に近接し計測したい場合特に有効である。
【００３６】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３７】
１      計測部
２１    小型スピーカ
２１１  音出力口
２２    音伝送用チューブ
２３    接続アダプタ
２４    挿入型耳チップ
３１    Ｏ型クッション
３１１  音伝送用チューブ用アダプタ
３２    カバー
３３    固定用側部バルーン
３３１  エアーチューブ用アダプタ
３４    室
３５    エアーチューブ
３６    手動式エアーポンプ
４１    頭部用補助バンドフック
４１１  頭部用補助バンド
４２    顎部用補助バンドフック
４２１  顎部用補助バンド
【図１】
2011083433.tif 000003
【図２】
2011083433.tif 000004
【図３】
2011083433.tif 000005
【図４】
2011083433.tif 000006
【図５】
2011083433.tif 000007
【図６】
2011083433.tif 000008
【図７】
2011083433.tif 000009
【図８】
2011083433.tif 000010
【図９】
2011083433.tif 000011